(57)【要約】【課題】本発明は、例えばハンディポリッシャー、シューズブラシ等の回転体の回転力を利用する電気器具について、バッテリを電源とすることにより、その取り扱い性の向上を図ることを目的とする。【解決手段】本発明は、回転体１１を回転させるためのモータと、モータに電力を供給する電源としてのバッテリ１を取付けるためのバッテリ取付け部１６とを有しており、回転体１１の回転力を直接的、あるいは間接的に対象物に伝え、前記対象物の状態を変化させる。【選択図】図１
2018065202.tif 000002
【特許請求の範囲】
【請求項１】
回転体を回転させるためのモータと、
前記モータに電力を供給する電源としてのバッテリを取付けるためのバッテリ取付け部とを有しており、
前記回転体の回転力を直接的、あるいは間接的に対象物に伝え、前記対象物の状態を変化させる電気器具。
【請求項２】
請求項１に記載の電気器具であって、前記回転体を回転させて前記対象物の表面に接触させることにより、前記対象物の表面の状態を変化させる電気器具。
【請求項３】
請求項１の記載の電気器具であって、前記回転体を回転させて対象物に当接させることで前記対象物の形状を変化させる電気器具。
【請求項４】
請求項１に記載の電気器具であって、前記回転体の回転により発生した水流を利用して前記対象物の表面の状態を変化させる電気器具。
【請求項５】
請求項１に記載の電気器具であって、前記回転体の回転により発生した気流を利用して前記対象物の状態を変化させる電気器具。
【請求項６】
請求項１に記載の電気器具であって、前記回転体の回転力をネジの作用で直線運動に変換して前記対象物に伝え、前記対象物の状態を変化させる電気器具。
【請求項７】
請求項１に記載の電気器具であって、前記回転体により対象物と切刃とを相対回転させて、前記対象物の状態を変化させる電気器具。
【請求項８】
請求項１から請求項７のいずれかに記載の電気器具であって、前記バッテリとして充電可能な電動工具用のバッテリパックを取付け可能な電気器具。
【請求項９】
請求項８に記載の電気器具であって、前記バッテリとして、複数本のセルをバッテリケースに収容したリチウムイオンバッテリを取付けられた電気器具。
【請求項１０】
請求項８又は請求項９に記載の電気器具であって、前記バッテリ取付け部に、ボックス型のバッテリをスライドさせて取付け可能な電気器具。
【請求項１１】
請求項１０に記載の電気器具であって、前記バッテリ取付け部に、前記バッテリをスライドさせて係合するための一対の案内レール部を備えた電気器具。
【請求項１２】
請求項８又は請求項９に記載の電気器具であって、前記バッテリ取付け部に、長尺棒形のバッテリを差し込んで取付け可能な電気器具。
【請求項１３】
請求項１２に記載の電気器具であって、前記バッテリを差し込むための取付け凹部を備え、該取付け凹部の底部に前記バッテリを電気的に接続するための接続端子を備えた電気器具。
【請求項１４】
請求項１〜請求項１３のいずれかに記載の電気器具であって、使用時に使用者が把持するグリップ部を備え、該グリップ部に前記バッテリ取付け部を備えた電気器具。
【請求項１５】
請求項１〜請求項１３のいずれかに記載の電気器具であって、設置して使用するための台座部を備え、前記台座部に前記バッテリ取付け部を備えた電気器具。
【請求項１６】
請求項１〜請求項１５のいずれかに記載の電気器具であって、前記バッテリとして公称電圧が１０．８Ｖのリチウムイオンバッテリを取付け可能に構成された電気器具。
【請求項１７】
請求項１〜請求項１６のいずれかに記載の電気器具であって、前記モータを制御するコントローラを備え、前記バッテリ取付け部に、前記コントローラと前記バッテリとの間で情報を送受信するための通信端子を備えた電気器具。
【請求項１８】
請求項１７に記載の電気器具であって、前記バッテリに関する情報に基づいて前記モータに対する電力供給を制御する構成とした電気器具。
【請求項１９】
請求項１８に記載の電気器具であって、前記バッテリの温度情報に基づいて前記モータに対する電力供給を制御する構成とした電気器具。
【請求項２０】
請求項１８に記載の電気器具であって、前記バッテリの放電不可情報に基づいて前記モータに対する電力供給を停止する構成とした電気器具。
【請求項２１】
請求項１８に記載の電気器具であって、前記電気器具の状態に関する情報に基づいて電力供給を制御する構成とした電気器具。
【請求項２２】
請求項１から請求項２１のいずれかに記載の電気器具のバッテリ取付け部に取付け可能なバッテリであって、残容量表示部を備えているバッテリ。
【請求項２３】
請求項１から請求項２１のいずれかに記載の電気器具であって、バッテリまたは電気器具の状態を報知する報知部を備えている電気器具。
【請求項２４】
請求項２３に記載の電気器具であって、前記報知部は電気器具側に設けられている電気器具。
【請求項２５】
家庭用電気器具において、電力を供給する電源としてのバッテリを着脱可能に取付けるための取付け部を備えた電気器具。
【発明の詳細な説明】
【技術分野】
【０００１】
この発明は、例えばハンディポリッシャー、シューズブラシ等の回転体の回転力を利用する電気器具に関する。
【背景技術】
【０００２】
主として回転体の回転力を利用する電気器具には、ハンディポリッシャー、シューズブラシ他に精米機、ブロア等の電気器具が存在する。多くの場合、これらの電気器具は、商用１００Ｖの交流電源が使用されている（例えば、特許文献１参照）。一般的に、消費電力が小さな懐中電灯やハンディラジオ等の電気器具では、乾電池等のバッテリ（直流電源）が使用される。しかし、上記したハンディポリッシャー、シューズブラシ等では、比較的大きな電力を必要とするため、商用１００Ｖの交流電源を電源とするものが主流となっている。
【先行技術文献】
【特許文献】
【０００３】
【特許文献１】特開２０１６−２２５５３号公報
【発明の概要】
【発明が解決しようとする課題】
【０００４】
しかし、商用１００Ｖの交流電源を使用する場合、電源コードを引き回す必要があり、電気器具の取り扱い性が悪い。また、屋外等の交流電源が用意されていない場所や交流電源の使用が好ましくない場所（例えば、水を使用する場所）では、電気器具を利用できなくなる。
【０００５】
一方、ねじ締め機や電気ドリル等の主として手持ち式の電動工具では、バッテリを電源とするものが普及している。特に近年では、複数本のバッテリセルをケースに内装したリチウムイオンバッテリが広く用いられるようになっている。電動工具用のリチウムイオンバッテリは比較的大きな電力を供給可能であることから、これを各種の電気器具の電源として利用できれば、交流電源が不要になり、またコードレス化されることからその使い勝手を格段に向上させることができる。
【０００６】
本発明は、例えばハンディポリッシャー、シューズブラシ等の回転体の回転力を利用する電気器具について、バッテリを電源とすることにより、その取り扱い性の向上を図ることを目的とする。
【課題を解決するための手段】
【０００７】
上記の課題は、以下の各発明により解決される。第１の発明は、回転体を回転させるためのモータと、前記モータに電力を供給する電源としてのバッテリを取付けるためのバッテリ取付け部とを有しており、前記回転体の回転力を直接的、あるいは間接的に対象物に伝え、前記対象物の状態を変化させる。
【０００８】
第１の発明によれば、バッテリ取付け部にバッテリを取付け、モータに電力供給することで回転体が回転させられる。そして、前記回転体の回転力が直接的、あるいは間接的に対象物に伝えられ、前記対象物の状態が変化させられる。例えば、ブラシ等の回転体を対象物である床板の表面に接触させて回転させることで、床板等を清掃できるようになる。このように、バッテリを電源とすることで、交流電源を使用する場合にように電源コードを引き回す必要がなくなり、電気器具の取り扱い性が向上する。また、屋外等の交流電源が用意されていない場所や交流電源の使用が好ましくない場所（例えば、水を使用する場所）でも電気器具を利用できるようになる。
【０００９】
第２の発明は、回転体を回転させて対象物の表面に接触させることにより、前記対象物の表面の状態を変化させる。前記回転体を回転させて対象物の表面に接触させ、前記対象物の表面の状態を変化させる電気器具としては、例えば、ハンディポリッシャー、シューズブラシ、びん洗い器、また包丁研ぎ器等がある。
【００１０】
第３の発明は、回転体を回転させて対象物に当接させることで前記対象物の形状を変化させる。回転体を回転させて対象物に当接させ、前記対象物の形状を変化させる電気器具としては、例えば、料理で使用されるミキサー、ブレンダ、精米機、あるいは耕運機等がある。
【００１１】
第４の発明は、回転体の回転により発生した水流を利用して前記対象物の表面の状態を変化させる。回転体の回転により発生した水流を利用して前記対象物の表面の状態を変化させる電気器具としては、例えば、食器洗い器、米とぎ器等がある。
【００１２】
第５の発明は、回転体の回転により発生した気流を利用して前記対象物の状態を変化させる。回転体の回転により発生した気流を利用して前記対象物の状態を変化させる電気器具としては、例えば、犬猫（対象物）用の抜け毛を吸引する吸引機、机（対象物）上の消しゴムカスを吸引する吸引機、あるいは乾燥機、ブロア等がある。
【００１３】
第６の発明は、回転体の回転力をネジの作用で直線運動に変換して対象物に伝え、前記対象物の状態を変化させる。回転体の回転力をネジの作用で直線運動に変換して対象物に伝え、前記対象物の状態を変化させる電気器具としては、例えば、コルク抜き器等がある。
【００１４】
第７の発明は、回転体により対象物と切刃とを相対回転させて、前記対象物の状態を変化させる。回転体により対象物と切刃とを相対回転させて、前記対象物の状態を変化させる電気器具としては、例えば、果物の皮むき器、缶切器等がある。
【００１５】
第８の発明は、バッテリとして充電可能な電動工具用のバッテリパックを取付け可能である。このように、広く流通する電動工具用のバッテリを利用できるようにすることで、当該電気器具及び電動工具の使い勝手及び付加価値を高めることができる。また、充電により繰り返し利用できるバッテリを用いる点で、ランニングコストの低減を図ることができるとともに、環境に対する負荷を低減できる。
【００１６】
第９の発明は、バッテリとして、複数本のセルをバッテリケースに収容したリチウムイオンバッテリが取付けられている。このため、回転体を回転させるモータに対して十分な電力を供給することができる。リチウムイオンバッテリを電源とすることにより、継ぎ足し充電等が可能となり、この点でも当該電気器具の使い勝手を高めることができる。
【００１７】
第１０の発明は、バッテリ取付け部に、ボックス型のバッテリをスライドさせて取付け可能である。このため、電気器具のハウジング内にバッテリを収納する必要がなくなる。
【００１８】
第１１の発明は、バッテリ取付け部に、バッテリをスライドさせて係合するための一対の案内レール部を備えている。このため、バッテリの取付け、取り外しの便宜を図りつつ、当該バッテリの強固な取付け状態を実現できる。
【００１９】
第１２の発明は、バッテリ取付け部に、長尺棒形のバッテリを差し込んで取付け可能である。このため、スティック形のバッテリの取付け構造が簡単になる。
【００２０】
第１３の発明は、バッテリを差し込むための取付け凹部を備え、該取付け凹部の底部に前記バッテリを電気的に接続するための接続端子を備えている。このため、バッテリを取付け凹部の底部まで差し込んで取付けることができる。接続端子を取付け凹部の底部に配置することにより、その保護を図って当該電気器具の耐久性を高めることができる。
【００２１】
第１４の発明は、使用時に使用者が把持するグリップ部を備え、該グリップ部に前記バッテリ取付け部を備えている。このように、バッテリを回転体とは反対側に取付けることにより、当該電気器具の操作性及び取り扱い性を高めることができる。
【００２２】
第１５の発明は、設置して使用するための台座部を備え、前記台座部に前記バッテリ取付け部を備えている。このため、バッテリ取付け部に比較的重量の大きなバッテリを取付けることにより、台座部を倒れにくい安定した姿勢で設置しておくことができる。
【００２３】
第１６の発明は、バッテリとして公称電圧が１０．８Ｖのリチウムイオンバッテリを取付け可能に構成されている。
【００２４】
第１７の発明は、モータを制御するコントローラを備え、バッテリ取付け部に、前記コントローラと前記バッテリとの間で情報を送受信するための通信端子を備えた電気器具である。これにより、通信端子を経由してコントローラとバッテリ間で情報が送受信されて電気器具の動作が制御される。
【００２５】
第１８の発明は、バッテリに関する情報に基づいてモータに対する電力供給を制御する構成とした電気器具である。これにより、例えば、バッテリの温度情報等に基づいて電気器具を停止することができ、電気器具及びバッテリの保護を図ることができる。
【００２６】
第１９の発明は、バッテリの温度情報に基づいてモータに対する電力供給を制御する構成とした電気器具である。これにより、例えば、バッテリの温度が許容値を超えた場合に電気器具を停止させることができ、電気器具及びバッテリの保護を図ることができる。
【００２７】
第２０の発明は、バッテリの放電不可情報に基づいてモータに対する電力供給を停止する構成とした電気器具である。このため、バッテリが過放電するようなことがなく、バッテリの保護が図られる。
【００２８】
第２１の発明は、電気器具の状態に関する情報に基づいて電力供給を制御する構成としている。
【００２９】
第２２の発明は、残容量表示部を備えているバッテリである。このため、バッテリを電気器具のバッテリ取付け部から取り外した状態で、当該バッテリの残容量を確認できる。
【００３０】
第２３の発明は、バッテリまたは電気器具の状態を報知する報知部を備えている。即ち、報知部によりバッテリまたは電気器具の状態が報知される。
【００３１】
第２４の発明では、報知部は電気器具側に設けられている。即ち、電気器具側に設けられた報知部により、バッテリまたは電気器具の状態が報知される。
【００３２】
第２５の発明は、電力を供給する電源としてのバッテリを着脱可能に取付けるための取付け部を備えている。このため、バッテリ取り付け部に電力供給用のバッテリを取り付けて家庭用電気器具を利用することができる。
【図面の簡単な説明】
【００３３】
【図１】第１実施形態に係る電気器具であるバスポリシャーの全体斜視図である。
【図２】前記バスポリッシャーの電源部の斜視図である。
【図３】スライド取付け形式のバッテリパック単体の斜視図である。
【図４】スライド取付け形式のバッテリパック単体の前面図である。
【図５】バスポリッシャーのバッテリ取付け部に対するスライド取付け形式のバッテリパックの取付け、取り外し状態を示す下面視図（図２のＶ−Ｖ矢視図）である。
【図６】充電式ねじ締め機の全体斜視図である。
【図７】第２実施形態に係る電気器具であるシューズブラシの全体斜視図である。
【図８】シューズブラシに使用される差し込み取付け形式のバッテリパック単体の斜視図である。
【図９】第２実施形態の変更例に係る電気器具であるマルチブラシの全体斜視図である。
【図１０】第３実施形態に係る電気器具である包丁研ぎ器の全体斜視図である。
【図１１】第４実施形態に係る電気器具である耕運機の全体斜視図である。
【図１２】第５実施形態に係る電気器具であるハンドミキサーの全体斜視図である。
【図１３】第６実施形態に係る電気器具であるスティックブレンダの斜視図である。
【図１４】第６実施形態の変更例に係る電気器具であるブレンダの斜視図である。
【図１５】第７実施形態に係る電気器具である精米機の斜視図である。
【図１６】第８実施形態に係る電気器具である食器洗い器の斜視図である。
【図１７】第９実施形態に係る電気器具である抜け毛吸引機の斜視図である。
【図１８】第１０実施形態に係る電気器具であるコルク抜き器の斜視図である。
【図１９】第１１実施形態に係る電気器具である電動缶切り器の斜視図である。
【図２０】第１２実施形態に係る電気器具である電動皮むき器の斜視図である。
【図２１】電気器具の電源部の変更例を表す斜視図である。
【図２２】電気器具とバッテリパックとの制御ブロック図である。
【図２３】電気器具の制御フローチャートである。
【図２４】電気器具とバッテリパックとの変更例に係る制御ブロック図である。
【図２５】電気器具の変更例に係る制御フローチャートである。
【図２６】バッテリパックの変更例に係る制御フローチャートである。
【図２７】電気器具と充電器との制御ブロック図である。
【発明を実施するための形態】
【００３４】
＜実施形態１＞
図１から図６に基づいて、本発明の実施形態１に係る電気器具について説明する。本実施形態に係る電気器具は、バスポリッシャー１０である。バスポリッシャー１０は、浴槽や浴室の床面、壁面を洗浄するための回転器具である。バスポリッシャー１０は、図１に示すように、ポリッシャー本体部１０ｍと電源部１０ｅとを備えている。ポリッシャー本体部１０ｍは、略半球状に形成された回転ブラシ１１と、先端部分が斜めに曲げられた筒状ハウジング部１２と、円筒状のグリップ部１４とから構成される。そして、筒状ハウジング部１２と円筒状のグリップ部１４とが軸方向に所定寸法だけ相対移動できる状態で連結されている。即ち、バスポリッシャー１０を使用する際にグリップ部から回転ブラシ１１までの距離を調整することができる。筒状ハウジング部１２の先端部分は拡径されており、モータ及び減速機構等（図示省略）が収納されるモータ収納部１２ｆとなっている。
【００３５】
前記モータ収納部１２ｆの先端からは、前記減速機構の出力回転軸（図示省略）が水密な状態で軸方向に突出しており、前記出力回転軸に回転ブラシ１１が同軸に連結されている。また、モータ収納部１２ｆには、前記モータに電力を供給する電気回路が収納されている。そして、前記電気回路の構成部品であるモータの起動スイッチ１４ｓがグリップ部１４の先端外周面に設けられている。また、ポリッシャー本体部１０ｍの電気回路と電源部１０ｅとを電気的に接続する凹型コネクタ１５がグリップ部１４の基端面に設けられている。グリップ部１４の基端面は、凹型コネクタ１５から電源部１０ｅの凸型コネクタ１８（後記する）が外された状態で、半球状の蓋１４ｈにより閉鎖可能に構成されている。
【００３６】
バスポリッシャー１０の電源部１０ｅは、図１、図２に示すように、バッテリパック１と、バッテリパック１が取付けられるバッテリ取付け部１６と、バッテリ取付け部１６とポリッシャー本体部１０ｍとを電気的に接続するリードケーブル１７とから構成されている。ここで、バッテリ取付け部１６の背面には、使用者の身体（ベルト部分）にバッテリ取付け部１６を保持するための身体保持具１６ｋが設けられている。また、リードケーブル１７の先端には、ポリッシャー本体部１０ｍの凹型コネクタ１５に電気的に接続される凸型コネクタ１８が設けられている。これにより、バッテリパック１がバッテリ取付け部１６に取付けられた状態で、電源部１０ｅのリードケーブル１７の凸型コネクタ１８がポリッシャー本体部１０ｍの凹型コネクタ１５に接続されることで、バッテリパック１とポリッシャー本体部１０ｍの電気回路とが電気的に接続された状態となる。バッテリパック１は、電動ねじ締め機や電動ドリル等の充電式電動工具のバッテリとしても用いられる汎用性の高いスライド取付け形式のバッテリで、様々な充電式電動工具との間で共用する（使い回す）ことができる。
【００３７】
バッテリパック１は、図３、図４に示すように、直方体形状のバッテリケース内に複数本のセルを内装したもので、本実施形態では出力電圧１０．８Ｖのリチウムイオンバッテリが用いられている。このバッテリパック１は、バッテリ取付け部１６から取り外して、別途用意した充電器で充電することにより繰り返し使用することができる。なお、以下説明する各実施形態では、出力電圧が１０．８Ｖのリチウムイオンバッテリを電源とする構成を例示するが、出力電圧が１８Ｖ、１４．４Ｖ等のリチウムイオンバッテリを電源とする構成とすることも可能である。また、リチウムイオンバッテリに限らず、ニッケル水素バッテリ等を電源として用いる構成にすることも可能である。
【００３８】
バッテリパック１の上面には、図３等に示すように、左右一対のレール受け部１ａが設けられている。左右レール受け部１ａの内側には、正負の電源端子受け部１ｂ，１ｃと、３つの通信端子受け部１ｄが設けられている。正負の電源端子受け部１ｂ，１ｃの後側には、矩形に開口された冷却用の吸気口１ｇが設けられている。さらに、吸気口１ｇの後側には、一つのロック爪１ｅが設けられている。このロック爪１ｅは、バッテリケース内に装着したばねにより上側へ突出するように付勢されている。バッテリパック１の後面には、図３に示すように、アンロックボタン１ｆが設けられている。このアンロックボタン１ｆは、ロック爪１ｅと一体に設けられている。このため、アンロックボタン１ｆを指先で下方へ押し下げ操作すると、ロック爪１ｅをばね付勢力に抗して下方へ引き込む方向（アンロック側）に移動させることができる。また、バッテリパック１の上面前端位置には、矩形に開口された３つの排気口１ｈが設けられている。このため、充電時に吸気口１ｇを経てバッテリケース内に導入された外気が排気口１ｈから排気されることにより、このバッテリパック１の冷却が行われる。さらに、バッテリパック１の前面には、図４に示すように、電力の残容量をＬＥＤ表示するための残容量表示部１ｊが設けられている。
【００３９】
バッテリ取付け部１６は、図５の下面視図（図２のV-V矢視図）に示すように、前記バッテリパック１の左右レール受け部１ａと嵌合可能な左右一対のレール部１６ａを備えている。前記レール部１６ａは前後方向に延びており、両レール部１６ａの内側に正負の電源接続端子１６ｂ，１６ｃと、一つの通信端子１６ｄとが設けられている。また、バッテリ取付け部１６の後部には、バッテリパック１側のロック爪１ｅが嵌り込む係合凹部（図示省略）が設けられている。このため、バッテリ取付け部１６に対してバッテリパック１を後側から前方に向けてスライドさせることで（図５中白抜き矢印参照）、バッテリパック１をバッテリ取付け部１６に取付けることができる。また、バッテリパック１の取付け状態において、使用者が指先でアンロックボタン１ｆをアンロック側に押し下げ操作すると、ロック爪１ｅが係合凹部（図示省略）から外れる。これにより、バッテリパック１を後方へスライドさせて、当該バッテリパック１をバッテリ取付け部１６から取り外すことができる。
【００４０】
バッテリパック１が、図１に示すように、バッテリ取付け部１６に対して取付けられると、バッテリパック１の正負の電源端子受け部１ｂ，１ｃにバッテリ取付け部１６の正負の電源接続端子１６ｂ，１６ｃが進入するようになる。これにより、当該バッテリパック１とバッテリ取付け部１６との電源ラインが電気的に接続される。また、バッテリパック１の中央の通信端子受け部１ｄにバッテリ取付け部１６の通信端子１６ｄが進入することで、当該バッテリパック１とバッテリ取付け部１６との通信ラインが電気的に接続されるようになる。これにより、バッテリの過放電に伴う自動停止等の信号の送受信が可能になる。なお、バッテリパック１の３つの通信端子受け部１ｄのうち左右両側の通信端子受け部１ｄは、当該バッテリパック１を別途用意した充電器に取付けて充電する場合に利用される。
【００４１】
バスポリッシャー１０を使用する場合には、電源部１０ｅのバッテリ取付け部１６に対してバッテリパック１を取付け、身体装着具１６ｋを利用してバッテリ取付け部１６とバッテリパック１とを身体に保持する。そして、ポリッシャー本体部１０ｍの凹型コネクタ１５に電源部１０ｅの凸型コネクタ１８を接続する。この状態で、ポリッシャー本体部１０ｍのグリップ部１４を握って起動スイッチ１４ｓを押し操作することでモータが駆動し、バスポリッシャー１０の回転ブラシ１１が回転する。そして、回転ブラシ１１が回転している状態で、その回転ブラシ１１を浴槽等の対象物に接触させることで、水を流しながら浴槽等を洗浄することができる。即ち、浴槽等の対象物を洗浄することで、対象物における表面の状態を変化させることができる。このように、前記回転ブラシ１１が本発明の回転体に相当する。
【００４２】
図６には、バッテリパック１を電源として取付けた充電式の電動工具の一例が示されている。図６に示す電動工具５はインパクト式のねじ締め機で、本体部５ａとグリップ部５ｂと電源部５ｃを備えている。電源部５ｃがバッテリ取付け部に相当する部位で、バッテリパック１はこの電源部５ｃの下面に沿って取付けられている。電源部５ｃに対して前側（白抜き矢印取り外し方向）にスライドさせることにより、バッテリパック１を取り外すことができる。逆に、電源部５ｃに対して後ろ側（白抜き矢印取付け方向）にスライドさせることによりバッテリパック１を取付けることができる。この電動工具５は、電源部５ｃに取付けたバッテリパック１からの電力により利用することができる。電動工具５の電源部５ｃから取り外したバッテリパック１をそのままバスポリッシャー１０の電源部１０ｅのバッテリ取付け部１６に取付けることができる。これにより、前記バッテリパック１をバスポリッシャー１０の電源として利用することができる。
【００４３】
このように、本実施形態のバスポリッシャー１０によれば、充電式電動工具に用いられるバッテリパック１を電源として利用することができるので、商用１００Ｖの交流電源を使用する場合のように電源コードを引き回す必要がなく、バスポリッシャー１０の取り扱い性が向上する。また、商用１００Ｖの交流電源を使用するのが好ましくない水を使う作業においても電気器具を利用できるようになる。ここで、本実施形態では、バスポリッシャー１０について本発明を適用する例を示したが、車両用のポリッシャーや床用のポリッシャーについても同様に本発明を適用することも可能である。また、本実施形態では、ポリッシャー本体部１０ｍと電源部１０ｅとをリードケーブル１７等を介して電気的に接続する例を示した。しかし、ポリッシャー本体部１０ｍ（グリップ部１４）の基端部にバッテリ取付け部１６を設け、グリップ部１４の基端部にバッテリパック１を取付ける構成でも可能である。
【００４４】
＜実施形態２＞
図７〜図９に基づいて本発明の実施形態２に係る電気器具について説明する。なお、実施形態１で説明した部材と同一部材については同一番号を付して説明を省略する。本実施形態に係る電気器具は、シューズブラシ２０である。シューズブラシ２０は、スニーカー等の内側を主に洗浄するための回転器具である。シューズブラシ２０は、図７に示すように、筒状のグリップ部２３と、グリップ部２３の先端に同軸に設けられた縮径部２４と、縮径部２４から軸方向に突出した管状部２５と、管状部２５の先端に設けられた回転ブラシ部２６とから構成されている。管状部２５はスニーカー等の形状に合わせて先端側が若干傾斜している。
【００４５】
シューズブラシ２０のグリップ部２３の基端部側には、差し込み取付け形式のバッテリパック２が差し込まれる筒状のバッテリ取付け部２２が形成されている。また、グリップ部２３には、バッテリ取付け部２２よりも先端側にモータ、減速機構、及び電気回路等（図示省略）が収納される空間が形成されている。グリップ部２３に収納されたモータ等の出力回転軸（図示省略）は、管状部２５に通された状態で回転ブラシ部２６に連結されている。そして、グリップ部２３の先端外側面に前記電気回路の構成部品であるモータの起動スイッチ２３ｓが設けられている。
【００４６】
差し込み取付け形式のバッテリパック２は、ねじ締め機等の電動工具の電源として用いられるリチウムイオンバッテリであり、図８に示すように、断面三角形状の本体部２ａと、この本体部２ａの後部にやや大径に形成された頭部２ｂを備えている。本体部２ａには、３本のバッテリセルが内装されている。そして、本体部２ａの先端面（前端面）には、正負の端子孔２ｃ，２ｄが設けられている。また、バッテリパック２の頭部２ｂの左右両側部には、係合爪２ｅと、これを離脱側に操作するための押しボタン２ｆとが設けられている。
【００４７】
シューズブラシ２０（グリップ部２３）のバッテリ取付け部２２は、バッテリパック２の本体部２ａを収容可能な断面形状及び深さの穴形状を有している。バッテリ取付け部２２の口元内側には、バッテリパック２の頭部２ｂの両係合爪２ｅに対応して左右一対の係合突部（図示省略）が設けられている。この両係合突部に対して係合爪２ｅは、それぞれバッテリパック２の取り外し方向にのみ係合し、取付け方向については両係合爪２ｅが弾性力に抗して退避する。このため、バッテリパック２をバッテリ取付け部２２に差し込むと、左右の係合爪２ｅがそれぞれバッテリ取付け部２２側の係合突部に係合して当該バッテリパック２が取付け位置にロックされる。
【００４８】
また、バッテリ取付け部２２の底部には、正負の接続端子（図では見えていない）が設けられている。このため、バッテリパック２の本体部２ａがバッテリ取付け部２２に差し込まれて取付け位置にロックされると、バッテリ取付け部２２（底部）の正負の接続端子がバッテリパック２（本体部２ａ）の端子孔２ｃ，２ｄに挿入されて当該バッテリパック２がシューズブラシ２０の電源回路に電気的に接続される。また、バッテリパック２が取付け位置にロックされた状態において、左右の押しボタン２ｆを指先で両側から挟むようにして押し操作すると、係合突部に対する係合爪２ｅの係合状態が解除される。このため、当該バッテリパック２をシューズブラシ２０のバッテリ取付け部２２から抜き出すようにして取り外すことができる。
【００４９】
シューズブラシ２０を使用する場合には、バッテリパック２をシューズブラシ２０のバッテリ取付け部２２に差し込んで取付け位置にロックする。これにより、バッテリパック２がシューズブラシ２０の電源回路に電気的に接続される。このため、シューズブラシ２０のグリップ部２３を握って起動スイッチ２３ｓを押し操作することでモータが駆動し、シューズブラシ２０の回転ブラシ部２６が回転する。そして、回転ブラシ部２６が回転している状態で、その回転ブラシ部２６をスニーカーに内部に挿入することで、水を流しながらスニーカー等を洗浄することができる。即ち、回転ブラシ部２６が本発明の回転体に相当する。
【００５０】
以上のように構成した第２実施形態のシューズブラシ２０によれば、充電式電動工具に用いられるバッテリパック２を電源として利用することができるので、交流電源の使用する場合のように電源ケーブルを引き回すこともなく、シューズブラシ２０の取り扱い性が向上する。また、商用用１００Ｖの交流電源の使用が好ましくない水を使う作業においても電気器具を利用できるようになる。ここで、本実施形態では、シューズブラシ２０について本発明を適用する例を示したが、図９に示すように、マルチブラシ２０ｍについても同様に本発明を適用することが可能である。
【００５１】
マルチブラシ２０ｍは、台所のシンクや洗面台を掃除する際に使用される電気器具である。マルチブラシ２０ｍは、側面略逆Ｌ字形をした筒型のハウジングを備えており、そのハウジングの縦部がグリップ部２３となっている。そして、グリップ部の上側が前方に曲げられた状態で、モータ、減速機構、及び電気回路等（図示省略）が収納されるハウジング上部２７となっている。ハウジング上部２７の前面からは減速機構の出力回転軸（図示省略）が前方に突出しており、前記出力回転軸に円板状の回転ブラシ２９が同軸に連結されている。また、ハウジング上部２７とグリップ部２３との内側境界位置にはモータの起動スイッチ２３ｓが設けられている。そして、グリップ部２３の下部位置にバッテリパック２が下方から挿入されるバッテリ取付け部２２が設けられている。また、ハウジング上部２７とグリップ部２３の下端位置間には、グリップ部２３を握った状態の手を保護するガード部２８が設けられている。即ち、回転ブラシ２９が本発明の回転体に相当する。
【００５２】
ここで、本実施形態に係る電気器具（シューズブラシ２０、マルチブラシ２０ｍ）では、差し込み取付け形式のバッテリパック２を使用する例を示した。しかし、実施形態１で説明したスライド取付け形式のバッテリパック１を使用することも可能である。また、バッテリパック１とバッテリ取付け部１６とからなる電源部をリードケーブル１７等により電気器具と電気的に接続する方式を採用することも可能である。
【００５３】
＜実施形態３＞
図１０に基づいて本発明の実施形態３に係る電気器具について説明する。なお、実施形態１等で説明した部材と同一部材については同一番号を付して説明を省略する。本実施形態に係る電気器具は、包丁研ぎ器３０である。包丁研ぎ器３０は、各種包丁を研ぐための電気器具であり、隔壁３６の右側に設けられた包丁研ぎ部３０ｍと、隔壁３６の左側に設けられた電源部３０ｅとを備えている。包丁研ぎ部３０ｍは、角形ハウジング３２を備えており、その角形ハウジング３２の上部に、例えば、二本の包丁挿入溝３４が左右方向に並んだ状態で形成されている。角形ハウジング３２の内部には、各々の包丁挿入溝３４を挟んで粗さの異なる回転砥石（図示省略）が設けられている。前記回転砥石は、回転することで、包丁挿入溝３４に挿入された包丁の両面を研げるように構成されている。また、角形ハウジング３２の内部には、前記回転砥石を回転させるためのモータ、減速機構、及び電気回路が収納されている。即ち、前記砥石が本発明の回転体に相当する。
【００５４】
包丁研ぎ器３０の電源部３０ｅは、隔壁３６の左側に庇状に固定されたバッテリ取付け部１６と、バッテリ取付け部１６に取付けられるスライド取付け形式のバッテリパック１とから構成されている。バッテリ取付け部１６は、水平下向きの状態で、かつレール部１６ａ（図５参照）が左右方向に延びるように位置決めされた状態で、隔壁３６の左側に固定されている。そして、バッテリパック１が左から右方向に水平スライドすることで、バッテリパック１がバッテリ取付け部１６に取付けられる。バッテリパック１がバッテリ取付け部１６に取付けられると、バッテリパック１と包丁研ぎ部３０ｍの電気回路とが電気的に接続される。また、バッテリ取付け部１６の前面側には、前記電気回路の構成部品であるモータの起動スイッチ３７が設けられている。
【００５５】
包丁研ぎ器３０を使用する場合には、電源部３０ｅのバッテリ取付け部１６にバッテリパック１を取付ける。この状態で、起動スイッチ３７を押し操作することで、モータが起動して砥石が回転する。このため、包丁を包丁挿入溝３４に挿入することで、包丁を研げるようになる。即ち、対象物である包丁の表面に回転体（回転砥石）を接触させて対象物の表面を変化させることができる。このように、バッテリパック１を電源として利用できるので、交流電源を使用する場合のように電源コードが不要になり、包丁研ぎ器３０の取り扱い性が向上する。また、商用１００Ｖの電源を使用できない屋外でも包丁研ぎ器３０を使用することができる。また、本実施形態では、スライド取付け形式のバッテリパック１、バッテリ取付け部１６を使用する例を示したが、前記バッテリパック１等の代わりに差し込み取付け形式のバッテリパック２、バッテリ取付け部２２を使用することも可能である。
【００５６】
＜実施形態４＞
図１１に基づいて本発明の実施形態４に係る電気器具について説明する。なお、実施形態１等で説明した部材と同一部材については同一番号を付して説明を省略する。本実施形態に係る電気器具は、耕運機４０である。耕運機４０は、家庭菜園等に使用される回転器具である。耕運機４０は、左右のロータ刃４１と左右の後輪４３とを備える耕運機本体４０ｍを備えている。耕運機本体４０ｍの上側には、飛散防止カバー４４を介してハウジング４５が設けられている。ハウジング４５の内部には、モータ、減速機構、及び電気回路等（図示省略）が収納されている。そして、前記減速機構の出力回転軸が歯車を介して左右のロータ刃４１に連結されている。このため、モータが駆動されることで前記減速機構を介して左右のロータ刃４１が回転する。即ち、左右のロータ刃４１が本発明の回転体に相当する。
【００５７】
また、ハウジング４５の後側には、モータ駆動用の電源部４０ｅのバッテリ取付け部１６が縦向きに取付けられており、バッテリ取付け部１６に対してスライド取付け形式のバッテリパック１が上から下にスライドすることで取付けられるように構成されている。また、耕運機４０のハウジング４５の後側には、バッテリ取付け部１６を避けた状態で耕運機本体４０ｍに連結された棒状のフレーム４６が設けられている。そして、フレーム４６の上端部に補助取手部４７、及び主取手部４８が設けられている。主取手部４８には、グリップ部４８ｇの近傍位置に前記電気回路の構成部品であるトリガスイッチ４８ｔが設けられている。ここで、トリガスイッチ４８ｔとハウジング４５内の電気回路とをむすぶ配線はフレーム４６の内側に通されている。
【００５８】
耕運機４０を使用する場合には、ハウジング４５の後側のバッテリ取付け部１６に対してバッテリパック１を上から下にスライドさせて取付ける。この状態で、バッテリパック１と耕運機４０の電気回路とが電気的に接続される。したがって、耕運機４０の補助取手部４７と主取手部４８とを持ち、前記主取手部４８のトリガスイッチ４８ｔを引き操作することで、モータが駆動されて左右のロータ刃４１が回転するようになる。そして、左右のロータ刃４１の回転により耕地が耕される。即ち、対象物（耕地）に回転体（ロータ刃４１）を当接させて対象物（耕地）の形状を変化させられるようになる。このように、バッテリパック１を耕運機４０の電源として利用できるので、延長コードを利用して商用１００Ｖの電源を使用する従来の耕運機と比較して取り扱い性が向上する。また、耕運機に延長コード巻き込み防止ガイドを設ける必要がないため、耕運機がコンパクトになる。
【００５９】
＜実施形態５＞
図１２に基づいて本発明の実施形態５に係る電気器具について説明する。なお、実施形態１等で説明した部材と同一部材については同一番号を付して説明を省略する。本実施形態に係る電気器具は、ハンドミキサー５０である。ハンドミキサー５０は、生クリームの泡立てや卵の攪拌等に使用される電気器具であり、ハウジング５２と、ハウジング５２の下面側に設けられた一対の攪拌部５４とを備えている。ハウジング５２は、山形の前部ハウジング部５２ｆと、前部ハウジング部５２ｆの上端位置から後方に延びるグリップ部５２ｇとを備えている。また、前部ハウジング部５２ｆの中央部から下部の位置には、後方に延びる横ハウジング部５２ｙが接続されており、その横ハウジング部５２ｙの後端位置が前記グリップ部５２ｇの後端位置に接続されている。そして、ハウジング５２のグリップ部５２ｇと横ハウジング部５２ｙ間に開口部５２ｈが形成されている。
【００６０】
ハウジング５２の前部ハウジング部５２ｆには、モータ、減速機構、及び電気回路等（図示省略）が収納されている。前記減速機構には一対の出力回転軸（図示省略）が下向きに設けられており、前記一対の出力回転軸に対して一対の攪拌部５４の連結軸５４ｊが下方から連結可能に構成されている。また、前部ハウジング部５２ｆの上端位置にはグリップ部５２ｇの近傍にモータの速度切り替え可能な操作スイッチ５３が設けられている。さらに、ハウジング５２の横ハウジング部５２ｙの後部下側は、スライド取付け形式のバッテリパック１が後方から嵌め込み可能に切欠部が設けられており、前記切欠部の天井部分にバッテリ取付け部１６が設けられている。そして、バッテリパック１が後から前方に水平スライドすることで、バッテリパック１がバッテリ取付け部１６に取付けられる。
【００６１】
ハンドミキサー５０を使用する場合には、ハウジング５２（横ハウジング部５２ｙ）のバッテリ取付け部１６にバッテリパック１を取付ける。さらに、一対の攪拌部５４の連結軸５４ｊをハウジング５２の下側から前記減速機構の一対の出力回転軸（図示省略）に連結する。この状態で、ハンドミキサー５０のグリップ部５２ｇを握り、親指で操作スイッチ５３を操作することで、モータが駆動されて一対の攪拌部５４が回転するようになる。これにより、ボールに入れた生卵等をハンドミキサー５０の一対の攪拌部５４で攪拌できるようになる。このため、一対の攪拌部５４が本発明の回転体に相当する。即ち、対象物（生卵等）に回転体（攪拌部５４）を当接させて対象物（生卵等）の形状を変化させることができる。このように、バッテリパック１を電源として利用できるので、交流電源を使用する場合のように電源コードが不要になり、取り扱い性が向上する。ここで、本実施形態では、スライド取付け形式のバッテリパック１、バッテリ取付け部１６を使用する例を示したが、前記バッテリパック１等の代わりに差し込み取付け形式のバッテリパック２、バッテリ取付け部２２を使用することも可能である。
【００６２】
＜実施形態６＞
図１３、図１４に基づいて本発明の実施形態６に係る電気器具について説明する。なお、実施形態１等で説明した部材と同一部材については同一番号を付して説明を省略する。本実施形態に係る電気器具は、スティックブレンダ６０である。スティックブレンダ６０は、荒くカットされたカップ内の野菜等を上方から押しながらさらに細かくカットして混ぜる回転器具である。スティックブレンダ６０は、筒状のグリップ部６３と、グリップ部６３の下端位置から下方に同軸に突出する管部６５と、前記管部６５の先端（下端）に設けられた凹球面状のガード６６と備えている。スティックブレンダ６０の管部６５の内側には、回転軸（図示省略）が同軸に収納されており、その回転軸の先端（下端）位置にガード６６に覆われた状態でプロペラ状の切刃（図示省略）が取付けられている。
【００６３】
グリップ部６３の上端側には、差し込み取付け形式のバッテリパック２が上方から差し込まれるバッテリ取付け部２２が形成されている。また、グリップ部６３には、バッテリ取付け部２２よりも下側がモータ、減速機構、及び電気回路等（図示省略）が収納される空間となっている。そして、前記減速機構の出力回転軸が切刃を備える回転軸に連結されている。また、グリップ部６３の外周面には、スティックブレンダ６０のモータの起動スイッチ６３ｓが設けられている。
【００６４】
スティックブレンダ６０を使用する場合には、バッテリパック２をスティックブレンダ６０のバッテリ取付け部２２に差し込んで取付け位置にロックする。これにより、バッテリパック２がスティックブレンダ６０の電気回路に電気的に接続される。この状態で、スティックブレンダ６０のグリップ部６３を握って起動スイッチ６３ｓを押し操作することでモータが駆動し、ガード６６の内側の切刃が回転する。即ち、前記切刃が本発明の回転体に相当する。そして、カップ内の野菜等をスティックブレンダ６０のガード６６の部分で上方から押すことで、野菜等をさらに細かくカットして混ぜることができる。即ち、対象物（野菜等）に回転体（切刃）を当接させて対象物（野菜等）の形状を変化させることができる。このように、バッテリパック２を電源として利用できるので、交流電源を使用する場合のように電源コードが不要になり、取り扱い性が向上する。
【００６５】
図１４は、実施形態６の変更例に係る電気器具であるブレンダ６０ｍを表している。ブレンダ６０ｍは、野菜、果物等を細断して混ぜ合わせ、ジュースやスムージー等を作る器具である。ブレンダ６０ｍは、ブレンダ本体部６７と、カッター部６８と、カップ部６９とを備えている。ブレンダ本体部６７は、モータ、減速機構、及び電気回路等（図示省略）が収納される部分で略筒状に形成されている。そして、前記減速機構の出力回転軸がブレンダ本体部６７の上面中心から上方に突出した状態で設けられている。また、ブレンダ本体部６７の下部側面には、スライド取付け形式のバッテリパック１が下方から取付けられるバッテリ取付け部１６が設けられている。また、ブレンダ本体部６７の側面には、バッテリ取付け部１６に対して上方の位置に前記モータの起動スイッチ６７ｓが設けられている。
【００６６】
ブレンダ本体部６７の上面には、カッター部６８が上方から同軸に重ねられるように構成されている。カッター部６８は、カップ部６９の開口部を蓋状に塞げるように構成されており、そのカッター部６８の中心部分に回転刃（図示省略）が回転自在な状態で設けられている。そして、前記カッター部６８がブレンダ本体部６７の上面に重ねられた状態で、ブレンダ本体部６７の出力回転軸がカッター部６８の回転刃と相対回転不能な状態で嵌合する。即ち、前記回転刃が本発明の回転体に相当する。
【００６７】
ブレンダ６０ｍを使用する場合には、バッテリパック１をブレンダ６０ｍのバッテリ取付け部１６に取付けてロックする。これにより、バッテリパック１がブレンダ６０ｍの電気回路に電気的に接続される。次に、カップ部６９に野菜や果物等の素材を収納し、カップ部６９の開口部をカッター部６８により蓋をする。次に、カッター部６８を下にしてそのカッター部６８をブレンダ本体部６７の上面にセットする。この状態で、起動スイッチ６７ｓを操作することで、モータが駆動されて出力回転軸と共にカッター部６８の回転刃が回転し、野菜等の素材が細かくカットされる。ここで、ブレンダ６０ｍの電源にスライド取付け形式のバッテリパック１を使用する例を示したが、差し込み取付け形式のバッテリパック２を使用できるように変更することも可能である。
【００６８】
＜実施形態７＞
図１５に基づいて本発明の実施形態７に係る電気器具について説明する。なお、実施形態１等で説明した部材と同一部材については同一番号を付して説明を省略する。本実施形態に係る電気器具は、精米機７０である。精米機７０は玄米の表面のヌカを除去して白米にする器具である。精米機７０は、ハウジング７１の右側部分に設けられた精米機本体部７０ｍと、ハウジング７１の左端部に設けられた精米制御部７０ｃとを備えている。精米機本体部７０ｍは、ハウジング７１内に精米容器（図示省略）を備えており、前記精米容器の開口部７２がハウジング７１の上面に設けられている。そして、前記開口部７２が円板蓋７３によって開閉可能に構成されている。精米機本体部７０ｍの精米容器の内側には、開口部７２から供給された玄米が収納されるカゴ部（図示省略）が設けられている。また、前記カゴ部の内側には、そのカゴ部に収納された玄米を回転させる羽根（図示省略）が設けられている。そして、前記羽根が回転することで、玄米が回転しながらカゴ部の壁面に当接し、あるいは玄米どうしが当接して精米が行われる。
【００６９】
精米制御部７０ｃは、前記精米機本体部７０ｍの羽根の回転速度、及び回転時間等を制御できるように構成されている。精米制御部７０ｃのハウジング７１の上面には、表示部７４、及び複数の操作スイッチ７５が設けられている。また、精米制御部７０ｃのハウジング７１の内側には、精米機本体部７０ｍの羽根を回転させるためのモータ、減速機構、及び電気回路が収納されている。即ち、前記減速機構の出力回転軸が精米機本体部７０ｍの羽根に伝達機構（図示省略）を介して連結されている。また、精米制御部７０ｃのハウジング７１の下面には、スライド取付け形式のバッテリパック１が収納されるバッテリ収納凹部７１ｍが設けられており、前記バッテリ収納凹部７１ｍの天井面にバッテリ取付け部１６が設けられている。そして、バッテリパック１が前から後に水平スライドすることで、バッテリパック１がバッテリ取付け部１６に取付けられる。即ち、精米機本体部７０ｍの羽根が本発明の回転体に相当する。
【００７０】
精米機７０を使用する場合には、精米制御部７０ｃのバッテリ取付け部１６にバッテリパック１を取付ける。次に、精米機本体部７０ｍの開口部７２から規定量の玄米をカゴ部内に供給する。この状態で、精米制御部７０ｃの操作スイッチ７５を操作することで、モータの駆動により精米機本体部７０ｍの羽根が回転し、精米が行われる。即ち、対象物（玄米）に回転体（羽根）を当接させて対象物（玄米）形状を変化させることができる。このように、バッテリパック１を電源として利用できるので、交流電源を使用する場合のように電源コードが不要になり、取り扱い性が向上する。また、本実施形態では、スライド取付け形式のバッテリパック１、バッテリ取付け部１６を使用する例を示したが、前記バッテリパック１等の代わりに差し込み取付け形式のバッテリパック２、バッテリ取付け部２２を使用することも可能である。
【００７１】
＜実施形態８＞
図１６に基づいて本発明の実施形態８に係る電気器具について説明する。なお、実施形態１等で説明した部材と同一部材については同一番号を付して説明を省略する。本実施形態に係る電気器具は、屋外で使用される携帯式の食器洗浄器８０である。食器洗浄器８０は、水流を発生させて食器を洗浄する主洗浄部８０ｗと、コップ等を手動で洗うためのブラシ８８，８９を備えるコップ洗い部８０ｂとから構成されている。主洗浄部８０ｗは、角形の水槽状に形成されており、給水バルブを備える給水口と、排水バルブを備える排水口（図示省略）とを備えている。主洗浄部８０ｗは、槽内が隔壁８１により左右に仕切られており、右側槽８２と左側槽８３とが前端部と後端部とで連通している。また、主洗浄部８０ｗの前側面には、制御ボックス８４が設けられており、前記制御ボックス８４内にモータ、減速機構、及び電気回路等が収納されている。
【００７２】
そして、前記減速機構の出力回転軸がシールされた状態で左側槽８３の内側に突出し、前記左側槽８３内に設けられた回転羽根（図示省略）に連結されている。また、前記制御ボックス８４は、前記給水バルブ、排水バルブを開閉制御できるように構成されている。前記制御ボックス８４の表面には、表示器８４ｍと操作スイッチ８４ｓとが設けられている。また、主洗浄部８０ｗの前側面には、制御ボックス８４の左隣にスライド取付け形式のバッテリパック１が取付けられるバッテリ取付け部１６が縦向きに設けられている。これにより、バッテリパック１を上から下にスライドさせることで、バッテリパック１がバッテリ取付け部１６に取付けられる。
【００７３】
食器洗浄器８０を使用する場合には、主洗浄部８０ｗの給水口に給水管を接続し、排水口に排水管を接続する。さらに、主洗浄部８０ｗのバッテリ取付け部１６にバッテリパック１を取付ける。この状態で、洗浄したい食器を右側槽８２、左側槽８３に収納し、制御ボックス８４の操作スイッチ８４ｓを操作することで、自動的に洗浄が行われる。即ち、先ず、給水バルブが開いて、主洗浄部８０ｗ内に水が供給される。そして、水が所定レベルまで供給されると給水バルブが閉じ、モータが起動されて回転羽根（図示省略）が回転する。これにより、主洗浄部８０ｗ内で水流が発生し、水が右側槽８２と左側槽８３間で循環して食器の洗浄が行われる。そして、所定時間経過するとモータが停止し、排水バルブが開いて排水が行われる。
【００７４】
この一連の動作が複数回繰り返されて食器の洗浄が行われる。即ち、回転体（回転羽根）の回転により発生した水流を利用して対象物（食器）の表面の状態を変化させることができる。したがって、水流を発生させる回転羽根が本発明の回転体に相当する。このように、バッテリパック１を電源として利用できるので、交流電源を使用する場合のように電源コードが不要になり、取り扱い性が向上する。ここで、本実施形態では、食器洗浄器８０を例にして、水流を利用して対象物の表面の状態を変化させる電気器具の説明を行ったが、米とぎ器等に本実施形態に係る技術を適用することも可能である。
【００７５】
＜実施形態９＞
図１７に基づいて本発明の実施形態９に係る電気器具について説明する。なお、実施形態１等で説明した部材と同一部材については同一番号を付して説明を省略する。本実施形態に係る電気器具は、犬猫用の抜け毛を吸引する抜け毛吸引機９０である。ここで、図１７は抜け毛吸引機９０を下方から見た斜視図である。抜け毛吸引機９０は、ファン（図示省略）の回転力を利用して外気と共に犬猫の抜け毛等を吸引し、吸引した抜け毛等を溜められるように構成されている。抜け毛吸引機９０は、吸引機本体部９０ｍと、グリップ部９２と、抜け毛収納部９７とを備えている。
【００７６】
吸引機本体部９０ｍは、前部下面側に円形の吸引口９５を備えるハウジング９３を備えている。また、ハウジング９３の吸引口９５の周囲には、ブラシ状のロータ９４が回転可能な状態で装着されている。また、吸引機本体部９０ｍのハウジング９３内には、前記ファン及びロータ９４を回転させるためのモータ、減速機構、電気回路等（図示省略）が収納されている。また、吸引機本体部９０ｍのハウジング９３の後端位置には横向きに角形排気口９３ｂが形成されており、その角形排気口９３ｂに抜け毛収納部９７が連結されている。即ち、前記ファンが本発明の回転体に相当する。
【００７７】
抜け毛収納部９７は、細長い角筒容器状に形成されており、前端側に開口部９７ｋが設けられ、後端側に複数の小穴を備える排気部９７ｈが設けられている。そして、抜け毛収納部９７の開口部９７ｋが吸引機本体部９０ｍ（ハウジング９３）の角形排気口９３ｂに対して気密状態で取付け、及び取外し可能に構成されている。吸引機本体部９０ｍのハウジング９３の上部には、前記抜け毛収納部９７とほぼ平行な状態で後方に延びるグリップ部９２の前部が接続されている。グリップ部９２の前端上部には、操作スイッチ９２ｓが設けられている。また、グリップ部９２の後端位置には、差し込み取付け形式のバッテリパック２が後方から差し込まれるバッテリ取付け部２２が形成されている。
【００７８】
抜け毛吸引機９０を使用する場合には、グリップ部９２のバッテリ取付け部２２に差し込み取付け形式のバッテリパック２を取付ける。これにより、グリップ部９２を握って操作スイッチ９２ｓを操作することで、前記モータ等の駆動によりファンが回転し、吸引機本体部９０ｍの吸引口９５から外気が吸引される。さらに、吸引口９５の周囲のロータ９４が回転する。この状態で、犬猫をブラッシングすることで、毛を掻き分けながら抜け毛を吸引することができる。外気と共に吸引機本体部９０ｍの吸引口９５から吸引された抜け毛は吸引機本体部９０ｍの角形排気口９３ｂから排出されて抜け毛収納部９７に溜められる。そして、抜け毛収納部９７の排気部９７ｈからは気体のみが排気される。即ち、回転体（ファン）の回転により発生した気流を利用して対象物（犬猫）の表面の状態を変化させることができる。
【００７９】
このように、バッテリパック２を電源として利用できるので、交流電源を使用する場合のように電源コードが不要になり、取り扱い性が向上する。また、本実施形態では、差し込み取付け形式のバッテリパック２、バッテリ取付け部２２を使用する例を示したが、スライド取付け形式のバッテリパック１、バッテリ取付け部１６を使用することも可能である。ここで、本実施形態では、犬猫用の抜け毛を吸引する抜け毛吸引機９０を例にして、気流を利用して対象物の表面の状態を変化させる電気器具の説明を行ったが、消しゴムカス吸引機、乾燥機、ブロア等に本実施形態に係る技術を適用することも可能である。
【００８０】
＜実施形態１０＞
図１８に基づいて本発明の実施形態１０に係る電気器具について説明する。なお、実施形態１等で説明した部材と同一部材については同一番号を付して説明を省略する。本実施形態に係る電気器具は、ワインボトルからコルク栓を引き抜くためのコルク抜き器１００である。コルク抜き器１００は、同軸に設けられたコルク抜き部１０２とグリップ部１０５とを備えている。コルク抜き部１０２は、円筒部１０４と、円筒部１０４の内側で円筒部１０４と同軸に設けられたスクリュー部１０３とから構成されている。そして、前記円筒部１０４の先端（下端）にワインボトル（図示省略）の注ぎ口に対して上方から同軸に当接できるように構成されたリング状の受け口１０４ｆが形成されている。また、スクリュー部１０３は、軸心回りに回転しながらコルク栓にねじ込まれる部分であり、先端が鋭利な細いステンレス丸鋼を螺旋状に成形することにより形成されている。
【００８１】
コルク抜き器１００のグリップ部１０５は、コルク栓を引き抜く際に握る部分であり、内側にコルク抜き部１０２のスクリュー部１０３を回転させるモータ、減速機構、電気回路等（図示省略）が収納されている。そして、前記減速機構の出力回転軸がスクリュー部１０３の基端部に同軸に連結されている。グリップ部１０５の中央外側面には、モータを駆動させる操作スイッチ１０６が設けられている。また、グリップ部９２の上端位置には、差し込み取付け形式のバッテリパック２が上方から差し込まれるバッテリ取付け部２２が形成されている。即ち、スクリュー部１０３が本発明の回転体に相当する。
【００８２】
コルク抜き器１００を使用する場合には、バッテリパック２をグリップ部１０５のバッテリ取付け部２２に差し込んで取付け位置にロックする。次に、コルク抜き器１００のグリップ部１０５を握ってコルク抜き部１０２の円筒部１０４の受け口１０４ｆをワインボトル（図示省略）の注ぎ口に対して上方から同軸に当接させる。これにより、スクリュー部１０３の先端がコルク栓の上端に食い込むようになる。この状態で、グリップ部１０５の操作スイッチ１０６を操作すると、モータが駆動してコルク抜き部１０２のスクリュー部１０３が軸心回りに回転する。これにより、スクリュー部１０３がコルク栓にねじ込まれる。ここで、前記スクリュー部１０３は定位置で回転しているため、そのスクリュー部１０３がコルク栓にねじ込まれることで、前記コルク栓がネジの作用で相対的に軸方向に移動してワインボトルの注ぎ口から引き抜かれる。即ち、回転体（スクリュー部１０３）の回転力をネジの作用で直線運動に変換して対象物（コルク栓）に伝え、対象物（ワインボトル）の状態を変化させることができる。このように、バッテリパック２を電源として利用できるので、交流電源を使用する場合のように電源コードが不要になり、取り扱い性が向上する。
【００８３】
＜実施形態１１＞
図１９に基づいて本発明の実施形態１１に係る電気器具について説明する。なお、実施形態１等で説明した部材と同一部材については同一番号を付して説明を省略する。本実施形態に係る電気器具は、円筒形の缶詰を開ける電動缶切り器１１０である。電動缶切り器１１０は、箱型のハウジング部１１４と、ハウジング部１１４の上端位置で水平位置から上方に回動可能に取付けられた缶切り部１１２とを備えている。ハウジング部１１４の前面１１４ｆの上部には、円筒形の缶詰の上端外周部を下から支えて前記缶詰を軸心回りに水平に回転させる送りギヤ１１５が前面１１４ｆに平行に設けられている。
【００８４】
電動缶切り器１１０のハウジング部１１４の内部には、前記送りギヤ１１５を回転させるモータ、減速機構、電気回路等（図示省略）が収納されている。そして、前記減速機構の出力回転軸が前記送りギヤ１１５の基端部に同軸に連結されている。また、ハウジング部１１４の上部右後部には、スライド取付け形式のバッテリパック１を収納する角形の凹部１１４ｋが形成されている、そして、ハウジング部１１４の凹部１１４ｋの後縦壁にバッテリ取付け部１６が縦向きに形成されている。これにより、バッテリパック１を上から下にスライドさせることで、前記バッテリパック１をバッテリ取付け部１６に取付けられるようになる。即ち、送りギヤ１１５が本発明の回転体に相当する。
【００８５】
電動缶切り器１１０の缶切り部１１２は、下面側に切刃１１３と缶押さえ部１１６を備える箱状体であり、水平な缶切り位置（図１９参照）と、回動中心Ｃの回りに所定角度だけ上回動した缶セット位置間で回動できるように構成されている。そして、缶切り部１１２の切刃１１３は、缶切り部１１２が缶切り位置に配置された状態で、送りギヤ１１５と平行に所定間隔を開けた状態に位置決めされている。これにより、缶詰の上端外周部を送りギヤ１１５の上にセットして、缶切り部１１２を缶セット位置から下回動させ、さらに缶切り位置まで押し下げることで、切刃１１３を缶詰の上面に食い込ませることができる。さらに、缶押さえ部１１６で缶詰の上面を押さえることができる。また、缶切り部１１２の上部右端位置には、前記モータを駆動させる操作スイッチ１１２ｓが設けられている。
【００８６】
電動缶切り器１１０を使用する場合には、バッテリパック１を上から下にスライドさせてハウジング部１１４のバッテリ取付け部１６に取付ける。この状態で、電動缶切り器１１０の缶切り部１１２を缶セット位置まで上回動させて、缶詰の上端外周部を送りギヤ１１５の上にセットする。次に、缶切り部１１２を缶セット位置から下回動させ、さらに缶切り位置まで押し下げることで、切刃１１３を缶詰の上面に食い込ませる。この状態で、操作スイッチ１１２ｓを下方に押し操作し続けることで、モータ等の働きで送りギヤ１１５が回転し、切刃１１３に対して缶詰が軸心回りに回転する。これにより、缶詰の上面が切刃１１３により上端外周部に沿って連続的に切られるようになる。即ち、回転体（送りギヤ１１５）により対象物（缶詰）と切刃１１３とを相対回転させて、対象物（缶詰）の状態を変化させることができる。このように、バッテリパック１を電源として利用できるので、交流電源を使用する場合のように電源コードが不要になり、取り扱い性が向上する。
【００８７】
＜実施形態１２＞
図２０に基づいて本発明の実施形態１２に係る電気器具について説明する。なお、実施形態１等で説明した部材と同一部材については同一番号を付して説明を省略する。本実施形態に係る電気器具は、リンゴや柿等の略球形の果物の皮をむく電動皮むき器１２０である。電動皮むき器１２０は、果物を回転可能に支持する回転座１２１ｈを備える水平なベース部１２１と、前記ベース部１２１に対して直角に設けられた箱型のハウジング部１２２とから側面Ｌ字形に形成されている。ベース部１２１の回転座１２１ｈは、前記ベース部１２１の前部中央に水平回転可能な状態で支持されており、回転座１２１ｈの上面テーブルに果物を固定する固定刃１２１ｓが設けられている。また、ベース部１２１の内部には、回転座１２１ｈを回転させるモータ、減速機構等が設けられている。即ち、回転座１２１ｈが本発明の回転体に相当する。
【００８８】
ハウジング部１２２の前面側の上部中央位置には、位置決め軸１２５が軸心回りに回転可能な状態で水平に設けられている。そして、位置決め軸１２５に皮むき刃部１２６が取付けられている。皮むき刃部１２６は、位置決め軸１２５の前後に対称に固定されたＬ形架台部１２６ｚと、前後のＬ形架台部１２６ｚの先端をつなぐ枠状の切刃１２６ｓとから構成されている。枠状の切刃１２６ｓは前後方向に長く形成されて、その切刃１２６ｓの前端位置と後端位置とに連結軸１２６ｊが同軸に突出形成されている。そして、前記切刃１２６ｓの前後の連結軸１２６ｊが前後のＬ形架台部１２６ｚの先端部に回転自在に支持されている。
【００８９】
ハウジング部１２２の内側には、位置決め軸１２５を回転させるモータ、減速機構と、そのモータとベース部１２１の回転座１２１ｈを回転させるモータを駆動させる電気回路とが収納されている。また、ハウジング部１２２の上面には、電動皮むき器１２０の操作スイッチ１２４と表示器１２４ｍとが設けられている。また、ハウジング部１２２の後部右側には、スライド取付け形式のバッテリパック１を収納する角形の凹部１２２ｋが下向きに形成されている、そして、ハウジング部１２２の凹部１２２ｋの後縦壁にバッテリ取付け部１６が縦向きに形成されている。これにより、バッテリパック１を下から上にスライドさせることで、前記バッテリパック１をバッテリ取付け部１６に取付けられる。
【００９０】
電動皮むき器１２０を使用する場合には、バッテリパック１を下から上にスライドさせてハウジング部１２２のバッテリ取付け部１６に取付ける。次に、電動皮むき器１２０のベース部１２１の回転座１２１ｈに果物をセットする。この状態で、操作スイッチ１２４を操作することで、モータ等が動作し、回転座１２１ｈと共に果物が水平軸心回りに回転する。これにより、皮むき刃部１２６の切刃１２６ｓと接触している果物の外周面の皮がむけるようになる。さらに、モータ等の働きにより位置決め軸１２５が軸心回りに一定方向に回動し、皮むき刃部１２６の切刃１２６ｓの傾斜角度が徐々に変わる。これにより、切刃１２６ｓと果物の外周面との接触位置が徐々に変わり、果物の外周面の皮が全体的にむかれるようになる。即ち、回転体（回転座１２１ｈ）により対象物（果物）と切刃１２６ｓとを相対回転させて、対象物（果物）の状態を変化させることができる。このように、バッテリパック１を電源として利用できるので、交流電源を使用する場合のように電源コードが不要になり、取り扱い性が向上する。
【００９１】
＜変更例＞
ここで、本発明は上記実施形態に限定されるものではなく、本発明の要旨を逸脱しない範囲における変更が可能である。例えば、本実施形態１〜１２では、バッテリパック１，２を取付けるバッテリ取付け部１６，２２を電気器具のグリップ部やハウジングに設ける例を示した。しかし、例えば、台座部等にバッテリ取付け部１６，２２を設け、電気器具と前記台座部とをリードケーブルによって電気的に接続する構成でも可能である。また、本実施形態では、バッテリパック２を電気器具に設けられたバッテリ取付け部２２に対して差し込むことで、バッテリパック２を電気器具に取付ける例を示した。しかし、図２１に示すように、電気器具１３０と別体のバッテリ取付け部２２を設け、バッテリ取付け部２２をリードケーブル１７、凸型コネクタ１８を介して電気器具１３０の凹型コネクタ１５に接続する構成でも可能である。
【００９２】
＜電気器具３００とバッテリパック４００間の制御について＞
次に、図２２から図２７に基づいて、実施形態１〜１２に係る代表的な電気器具３００とバッテリパック４００との間でなされる各種の制御について説明する。なお、電気器具３００は、実施形態１〜１２で説明した電気器具と実質的に同一のものであり、説明の便宜を考慮して別の符号を付している。また、バッテリパック４００は、スライド取り付け形式（ボックス形）のバッテリパック１、及びスティック形のバッテリパック２と実質的に同一のものであり、同じく説明の便宜を考慮して別の符号を付している。
【００９３】
図２２に示すように、バッテリパック４００には、正負の電源端子受け部４０１，４０２と３つの通信端子受け部４０３，４０４，４０５が設けられている。また、バッテリパック１の前面には、電力の残容量をＬＥＤ表示するための残容量表示部４０６が設けられている（図４符号１ｊ参照）。バッテリパック４００には、残容量検出回路４０７と３本のバッテリセルＶ１，Ｖ２，Ｖ３が内装されている。３本のバッテリセルＶ１，Ｖ２，Ｖ３で最大で１０．８Ｖの出力電圧が確保される。バッテリパック４００には、バッテリセルＶ１，Ｖ２，Ｖ３の温度を検出するサーミスタ４０８が内装されている。
【００９４】
なお、サーミスタ４０８は抵抗温度特性が負特性のＮＴＣサーミスタが一般的に用いられるが、正特性のＰＴＣサーミスタを用いてもよい。また、本実施形態ではサーミスタ４０８はバッテリの温度を適切に検出するため、バッテリセルＶ１の近傍に配置した構成が例示されているが、これに代えてバッテリセルＶ２，Ｖ３の近傍に配置する構成としてもよい。Ｖ１，Ｖ２，Ｖ３に大きな温度差がある場合は、最も温度上昇しやすいバッテリセルにサーミスタを配置することが望ましい。
【００９５】
バッテリパック４００は、電気器具３００のバッテリ取り付け部から取り外した状態であっても、残容量表示部４０６で残容量を確認することができる。残容量表示部４０６は、ＬＥＤ１〜ＬＥＤ４で４灯表示される。残容量検出回路４０７は、使用者が残容量スイッチ４０９を押し操作すると、残容量に応じてＬＥＤ１〜ＬＥＤ４を点灯させる。残容量検出回路４０７では、バッテリ電圧に応じて残容量が検出され、例えば残容量が２５パーセント毎に、１灯、２灯、３灯、４灯と点灯数を切り替える制御がなされる。
【００９６】
バッテリパック４００の正負の電源端子受け部４０１，４０２と、バッテリセル温度検出用端子受け部４０５とが、図２２に示すように、電気器具３００のバッテリ取り付け部側（端子３１７）に電気的に接続される。また、バッテリパック４００の３つの通信端子受け部４０３，４０４，４０５のうち、バッテリセル電圧検出用端子４０３，４０４は充電器用端子受け部であり、充電器５００との間でのみ接続される（図２７参照）。電気器具３００には、モータ３０１と、電源回路３０２と、制御マイコン３０３と、バッテリ状態検出部３０４と、通電制御スイッチ（ＦＥＴ）３０５と、スイッチの駆動回路３０６と、メインスイッチ３１０と、強弱スイッチ３１１と、電流検出回路３１５が搭載されている。
【００９７】
電源回路３０２では、バッテリ電圧が入力されると、そのバッテリ電圧を所定電圧値の制御電圧Ｖｃｃに降圧して出力する。電源回路３０２で生成される制御電圧Ｖｃｃは、制御マイコン３０３や駆動回路３０６など各部の動作用電源として用いられる。
【００９８】
制御マイコン３０３は、ＣＰＵ、ＲＯＭ、ＲＡＭ、Ｉ／Ｏなどを備えたマイクロコンピュータである。
【００９９】
バッテリ状態検出部３０４では、バッテリパック４００の電源端子受け部４０１及び電気機器の正極端子３１２から入力されるバッテリ電圧をバッテリ電圧検出回路３１６が検出し、制御マイコン３０３へ入力する。通信端子４０５、３１７を介して温度検出回路３１４がサーミスタ４０８の抵抗値を検出することで、制御マイコン３０３にサーミスタ４０８の抵抗値検出値が入力される。なお、制御マイコンのＲＯＭには、予めサーミスタ４０８の特性が格納されており、制御マイコン３０３は入力されたサーミスタ４０８の抵抗値とＲＯＭに格納された特性データから、バッテリセルの温度を検出することができる。
【０１００】
電流検出回路３１５では、電気器具３００が動作している際に流れる通電電流により、例えば、電流検出用抵抗の両端に発生する電位差から、通電電流値を検出することができる。
【０１０１】
通電制御スイッチ３０５は本実施例ではＮチャネルＭＯＳＦＥＴを用いており、駆動回路３０６がオンオフのデューティー比を制御することで、モータ３０１に供給する電力を制御することができる。
【０１０２】
メインスイッチ３１０はスイッチがオン状態であるか否かを制御マイコン３０３へ入力されるように構成されており、強弱スイッチ３１１は、例えば、強モードで動作させたい場合にはスイッチがオン状態であることを制御マイコン３０３へ入力させ、弱モードで動作させたい場合はオフ状態であることを制御マイコン３０３へ入力させる。なお、本実施形態ではメインスイッチ３１０と強弱スイッチ３１１を別体としているが、例えば、一つのスイッチを用いて、スイッチをオンさせた回数に応じて強、弱、停止を切り替えるように構成してもよい。
【０１０３】
図２３には、電気器具３００の制御マイコン３０３でなされる制御のフローチャートが示されている。前記フローチャートは、主としてバッテリパック４００の放電保護を図るためのものである。電気器具３００のバッテリ取り付け部にバッテリパック４００が取り付けられると、電気器具３００に電源供給されて、制御マイコン３０３が作動する。その後使用者がメインスイッチ３１０をオン操作した信号が制御マイコン３０３へ入力されると（ステップ０１、以下「ＳＴ０１」と略記する。）、先ずＳＴ０２で、制御マイコン３０３はバッテリ状態検出部３０４からバッテリ状態を取得する。バッテリ状態とは上記したようにバッテリ電圧とバッテリセル温度のことである。取得されたバッテリ状態に基づいてＳＴ０３で起動許可の条件が判定される。この場合、バッテリパック４００の電圧が８Ｖ以上で、温度が６０℃以下の場合に起動許可条件を満たしていると判定される。起動許可条件を満たしていないと判定された場合には、ＳＴ０５でフローが終了されて、メインスイッチ３１０がオン状態となっていても電気器具３００は動作を開始しない。
【０１０４】
ＳＴ０３で起動条件を満たしていると判定されると、ＳＴ０４で強モードであるか否かの確認がなされる。強弱スイッチ３１１の切り替え状態に応じて駆動回路３０６へオン、オフのデューティー比(duty)を変化させて、通電制御スイッチ３０５によりモータ３０１へ供給される電力が制御される。ＳＴ０４で強モードが確認されると、ＳＴ０６でduty１００パーセントの電力がモータ３０１に供給される。ＳＴ０４で強モードが確認されず、弱モードと判定されると、ＳＴ０７でduty５０パーセントの電力がモータ３０１に供給される。
【０１０５】
電力供給中（電気器具の使用中）、ＳＴ０８でバッテリ状態が取得される。ＳＴ０２での処理と同様にバッテリ状態検出部３０４にて、バッテリ電圧とバッテリセル温度が検出される。制御マイコン３０３は、バッテリ状態検出部３０４から、検出したバッテリ電圧とバッテリセル温度を取得する。さらに、電力供給中は通電電流が流れているため、電流検出回路３１５にて、通電電流値も検出される。制御マイコン３０３は、電流検出回路３１５から、検出した通電電流値を取得する。
【０１０６】
ＳＴ０８で取得したバッテリ状態に基づいて、ＳＴ０９で電気器具の停止条件を満たしているか否かの判定がなされる。停止条件は、例えばバッテリパック４００の電圧が７．５Ｖ以下であることが１秒以上検知され、温度が８０℃以上であることが１秒以上検知され、通電電流が８０Ａ以上であることが１秒以上検知されることに設定されている。これらの各条件の一つが検知されると、ＳＴ１１で通電制御スイッチ３０５がオフされて、メインスイッチ３１０がオン状態であってもモータ３０１が停止される。
【０１０７】
この種のバッテリパック４００は、大電流を流す電動工具あるいは電気器具に使用されるため、バッテリパック４００は高温状態になりやすい。そのため、バッテリパック４００が高温状態となったら放電を停止して寿命が短くなることを防ぐ必要がある。そこで、バッテリパック４００内のサーミスタ４０８の抵抗値の情報を電気器具３００の制御マイコン３０３がＴ端子３１７を介して読み取り、バッテリ温度が規定値（例えば８０℃）を超えたら通電制御スイッチ３０５をオフさせて電力供給を遮断する。
【０１０８】
以上の高温保護に加えて、過放電保護がなされる。過放電を防止するために、バッテリパック４００の電圧が規定値を下回ったことを検出したら放電停止するように、バッテリ電圧検出回路３１６で計測する。１０．８Ｖバッテリの場合、保護したいセル電圧２．５Ｖ×３本として、７．５Ｖを下回ったら電気器具を停止させる。ただし、電気器具は起動電流等で瞬間的に大電流が流れる場合があり、バッテリパックオン残容量が空でなくても一瞬７．５Ｖを下回ってしまうことがあるため、検出時間には例えば１秒程度の幅を持たせることが望ましい。
【０１０９】
バッテリパック４００の急激な温度上昇を防ぐために、温度だけでなく一定値以上の過電流を検出したら停止するように、電流検出回路３１５で電流値が検出される。なお、起動時などにモータに流れる起動電流で停止しないように、検出時間には幅を持たせることが望ましい。また、バッテリパック４００だけでなく、電気器具３００自体も過電流が流れ続けると故障の原因になるため、電気器具３００側に流すことのできる電流値でバッテリパック４００の過電流保護を設定してもよい。
【０１１０】
上記各保護機能が動作して電気器具３００が停止したら、メインスイッチ３１０がオン状態を維持している間は、電気器具３００が動作しないようにラッチをかけておくと、使用者が意図しないときに電気器具３００が動作を再開してしまうことを防止することができる。また、動作してもすぐ停止しないように、起動条件は停止条件に対してヒステリシスを持たせておくとよい。例えば、７．５Ｖで停止させ、８．０Ｖで動作開始させる制御、あるいは８０℃で停止させて６０℃で動作開始させる制御を行うことが望ましい。
【０１１１】
また、バッテリセルの温度だけでなく、電気器具内の温度を検出して一定値を超えたら停止するようにしてもよい。例えば、モータ３０１の温度を検出できるように、動力部温度検出回路３０８のサーミスタをモータ３０１の近傍に配置する。動力部温度検出回路３０８によりモータ３０１の温度が制御マイコン３０３入力され、モータ３０１の温度が異常状態となったら、制御マイコン３０３は、電気器具の停止条件を満たしていると判断し、電気器具３００を停止させるようにしてもよい。その際に、制御マイコン３０３は、電気機器に異常があることを報知させる構成としてもよい。
【０１１２】
バッテリ状態検出部３０４で検出したバッテリパック電圧、バッテリセル温度、及び電流検出回路３１５で検出した電流値のいずれかが、電気器具３００の起動許可条件を満たさない、または電気器具３００の停止条件を満たしていたら、ＬＥＤ５を点灯させて、バッテリパック４００が放電不可状態であることを報知してもよい。
【０１１３】
また、電気器具３００のモータ３０１の温度が異常状態であると判定されたら、ＬＥＤ６を点灯させて、電気器具３００が放電不可状態であることを報知してもよい。さらに、ＬＥＤ５とＬＥＤ６を１つのＬＥＤで構成してもよい。例えば、ＬＥＤ５の電気器具３００側の異常と、バッテリ放電不可状態の点滅パターンや、点灯色を変更して報知してもよい。このような構成とすることで、バッテリパック４００か電気器具３００のいずれかが使用不能であることを使用者に報知する構成とすることができる。
【０１１４】
本実施形態では、報知部ＬＥＤ５、６が、電気器具３００側に設けられる例を開示したが、バッテリパック４００側に設けられていても良いし、例えば、アダプタに設けられてもよい。
【０１１５】
モータ３０１がロック状態などの異常が発生して過大な電流が流れてしまうと、バッテリパック４００や電気器具３００が故障するおそれがあるため、バッテリパック４００及び電気器具３００を保護するために、バッテリパック４００の内部若しくは電気器具３００の内部にヒューズ３２０を搭載する構成としてもよい。ヒューズ３２０は図２２に示すように電気器具３００側に搭載すると、ヒューズ３２０が切れてもバッテリパック４００は使用可能となるため、電気器具３００側にヒューズ３２０を搭載することが望ましい。
【０１１６】
図２４には、図２２とは、異なる形態のバッテリパック４５０と電気器具３５０の構成が示されている。この構成では、電源回路４６１や制御マイコン４５４がバッテリパック４５０内にも構成されている。さらに、電圧監視回路４６０やバッテリセルの温度検出回路４５６、電流検出回路４５７もバッテリパック４５０内に構成されている。
【０１１７】
電源回路４６１は、制御マイコン４５４など、バッテリパック４５０内の各部の動作用電源として用いられる。制御マイコン４５４は、ＣＰＵ、ＲＯＭ、ＲＡＭ、Ｉ／Ｏなどを備えたマイクロコンピュータである。電圧監視回路４６０は、Ｖ１，Ｖ２，Ｖ３のセル毎の電圧を検出し、制御マイコン４５４へ入力する。温度検出回路４５６は、バッテリセルＶ１の近傍に備えられたサーミスタの抵抗値からバッテリセル温度を検出し、制御マイコン４５４へ入力する。電流検出回路４５７は、電気器具３５０が動作している際に流れる通電電流を検出して、制御マイコン４５４へ入力する。残容量スイッチ４５５がオンされると、制御マイコン４５４へ信号が入力され、制御マイコン４５４は、セル電圧に応じたバッテリ残容量を算出し、残容量表示回路（ＬＥＤ等）へ表示させる。
【０１１８】
バッテリパック４５０には、正負の電源端子受け部４５１，４５２と、通信端子受け部４５３，４５９が設けられており、通信端子受け部４５３，４５９は電気器具３５０の通信端子３１７，３１８と接続されるように構成されている。バッテリパック４５０内の制御マイコン４５４は、通信端子受け部４５３と通信端子３１７（以下接続部Ｃ）を介して、電気器具３５０の制御マイコン３０３からの信号が受信可能な構成となっており、通信端子受け部４５９と通信端子３１８（以下接続部Ｄ）を介して、電気器具３５０の制御マイコン３０３へ信号が送信可能な構成となっている。
【０１１９】
電気器具３５０には、前記電気器具３００と同様、正負の電源端子３１２，３１３、通信端子３１７，３１８、制御マイコン３０３、電源回路３０２、通電制御スイッチ（ＦＥＴ）３０５、駆動回路３０６、メインスイッチ３１０、強弱スイッチ３１１が設けられている。
【０１２０】
図２５には、制御マイコン３０３でなされる電気器具３５０側の動作制御のフローチャートが示され、図２６には、制御マイコン４５４でなされるバッテリパック４５０側の動作制御のフローチャートが示され、これらの動作制御により主としてバッテリパック４５０の放電保護が図られる。使用者がメインスイッチ３１０をオン操作した信号が制御マイコン３０３へ入力されると（ＳＴ２１）、まず制御マイコン３０３は接続部ＣへＨｉレベルの信号を出力する（ＳＴ２２）。
【０１２１】
制御マイコン４５４は、接続部ＣからＨｉレベルの信号が入力されると動作制御を開始し（ＳＴ４１）、ＳＴ４２にてバッテリ状態を取得する。制御マイコン４５４は電圧監視回路４６０からバッテリセルＶ１，Ｖ２，Ｖ３の電圧を個別に検出し、温度検出回路４５６からバッテリセルの温度を検出する。ＳＴ４３にて、制御マイコン４５４はバッテリセルＶ１，Ｖ２，Ｖ３の各電圧、及び、バッテリセル温度が機器の起動許可条件を満たしているか否かを判断する。なお、図２４の構成ではバッテリセルの電圧を個別に検出することが可能であるため、起動条件はＶ１〜Ｖ３の中で最も低い電圧のセルが２．７Ｖ以上あるか否かで判定する。バッテリセル温度の起動許可条件については、図２２の構成と同様に６０℃以上であるか否かで判定する。
【０１２２】
制御マイコン４５４はバッテリパック４５０が起動許可条件を満たしている場合、つまり機器を起動してよいと判定したら、接続部Ｄの電位がＬｏｗレベルとなるように出力する（ＳＴ４５）。なお、起動許可条件を満たしていない場合は、動作を終了する（ＳＴ４４）。
【０１２３】
制御マイコン３０３は、ＳＴ２２が終了したらＳＴ２３に移行して、例えば１０ｍｓｅｃ待機する。この時間は、制御マイコン４５４がＳＴ４１からＳＴ４５までの処理が終了するまでの時間である。そしてＳＴ２４へ移行して接続部ＤからＬｏｗレベルの信号が入力されているか否かを判定する。ここで、接続部ＤからＬｏｗレベルの信号が入力されていない場合、バッテリパック４５０は起動条件を満たしていないと判断し、ＳＴ２５で接続部Ｃへの信号出力を停止し、ＳＴ２６で動作を終了する。接続部ＤからＬｏｗレベルの信号が入力されている場合、バッテリパック４５０は起動条件を満たしていると判断し、それぞれに対応したデューティー比で電気器具（モータ３０１）を駆動させる（ＳＴ２８、ＳＴ２９）。
【０１２４】
制御マイコン４５４は、ＳＴ４６へ移行し、バッテリ状態を取得する。ここでは、電圧監視回路４６０と温度検出回路４５６から、バッテリセルの電圧と温度を取得するとともに、電流検出回路４５７から電気器具に流れる通電電流を取得する。
【０１２５】
ＳＴ４７にて機器の停止条件を満たしているかを判定する。停止条件は、例えばバッテリセルＶ１，Ｖ２，Ｖ３のいずれかの電圧が２．５Ｖ以下であることが１秒以上検知され、温度が８０℃以上であることが１秒以上検知され、通電電流が８０Ａ以上であることが１秒以上検知されることに設定されている。これらの各条件の一つが検知されると、ＳＴ４８で接続部Ｄへの出力を停止して、動作を終了する（ＳＴ４９）。これらの条件が検知されない場合は、ＳＴ５０へ移行する。
【０１２６】
ＳＴ５０では接続部Ｃからの信号が入力されているか否かを判定し、信号が入力されている場合は、電気器具のメインスイッチ３１０がＯＮされたままであると判定し、ＳＴ４６へ戻る。接続部Ｃからの信号が入力されていない場合は、電気器具のメインスイッチ３１０がオフされたと判断し、動作を終了するためにＳＴ４８へ移行する。
【０１２７】
制御マイコン３０３は、ＳＴ２８、２９へ機器の駆動を開始したら、ＳＴ３０で接続部ＤからのＬｏｗレベル信号が入力されているか否かを判定する。信号が入力されている場合、バッテリは機器の停止条件を満たしていないと判断し、ＳＴ３２へ移行する。メインスイッチ３１０がオフされたか否かを判定し、メインスイッチ３１０がオフされていない場合、ＳＴ２７へ戻り、同様の動作を繰り返すこととなる。
【０１２８】
ＳＴ３０にて接続部Ｄからの信号が入力されていない場合、またはＳＴ３１でメインスイッチ３１０がオフされた場合、ＳＴ３２へ移行して、接続部ＣへのＨｉレベル信号の出力を停止し、ＳＴ３３で動作を終了させる。
【０１２９】
このように、図２４のような構成において、接続部Ｃでメインスイッチ３１０のオン状態、接続部Ｄでバッテリが放電してもよいかどうか（放電許可情報）を通信することで、図２２と同様にバッテリの放電保護を行うことができる。バッテリセルＶ１，Ｖ２，Ｖ３の電圧及び温度管理、電流管理がバッテリパック４５０側でなされることから、係る機能を有しない電動器具に用いる場合においても当該バッテリパック４５０の保護を図ることができる。バッテリセルＶ１，Ｖ２，Ｖ３の電圧が個別に監視されることから、高精度の電圧監視制御がなされるとともに、電圧が最も低いバッテリセルＶ１，Ｖ２，Ｖ３のいずれかに合わせて制御がなされることにより、当該バッテリパック４５０の長寿命化を図ることができる。バッテリ側に搭載されている制御マイコン４５４でバッテリ放電保護を行うため、セルに合わせた設定値とすることができる。例えば性能のよいバッテリセルや安価なセルを用いた場合でも、セル性能に合わせた設定値にすることができるため、長寿命化を図ることができる。
【０１３０】
なお、この実施形態では、接続部Ｃ、ＤをＨｉレベルやＬｏｗレベルとすることで、制御マイコン３０３と４５４が通信を行っているが、これに限らず別の通信方式を行っても良い。例えば制御マイコン３０３と４５４がデジタル通信を行うことで、バッテリセル電圧、温度、通電電流値等をデジタルデータで送受信する構成としてもよい。
【０１３１】
また、接続部Ｃでメインスイッチの状態を送受信する構成としているが、接続部Ｃは省略した構成としてもよい。この場合、制御マイコン４５４は、バッテリパック４５０が起動可能な状態であれば、常に接続部ＤからＬｏｗレベルの信号を出力する構成とすればよい。接続部Ｄは放電許可状態の場合に信号を送信する構成としているが、放電禁止状態の場合に信号を送信してもよい。
【０１３２】
制御マイコン３０３は、バッテリパック４５０が起動許可条件を満たしていない、または機器停止条件を満たしていると判定したら、ＬＥＤ５を点灯させて使用者にバッテリが放電不可状態であることを報知してもよい。また、図示はしないが、図２２の構成と同様にモータ３０１の異常温度を検出し、電気器具が放電不可状態であることを検出したら、ＬＥＤ５を点滅させるかＬＥＤ６を点灯させるなどしてもよい。
【０１３３】
制御マイコン４５４は、残容量スイッチ４５５を押されたときに、バッテリパック４５０が起動許可条件を満たしていない、または機器停止条件を満たしていると判定したら、残容量表示回路４５８を通常の残容量表示パターンと異なる表示をしてもよい。例えばＬＥＤを点滅表示させることで、バッテリパック４５０が使用不能であることを報知することができる。
【０１３４】
通電制御スイッチ３０５と駆動回路３０６は、電気器具３５０側に搭載する構成のほか、バッテリパック４５０側に搭載する構成としてもよい。その場合、制御マイコン４５４が、駆動回路３０６を制御する構成とすればよい。
【０１３５】
図２７には、前記バッテリパック４００を充電器５００にセットして充電する場合の制御状態が示されている。図２７においてバッテリパック４００の残容量スイッチ４０９は省略されている。充電器５００では、商用１００Ｖ等のＡＣ電源５０１が入力整流回路５０２により直流に変換され、この直流電流がＳＷ電源回路５０３により所定の電流値や電圧値に変換される。充電器５００には、正負電源用の接続端子５０４，５０５、通信端子５０６，５０７，５０８が設けられている。バッテリパック４００が取り付けられた状態で、電源用の接続端子５０４，５０５がバッテリパック４００の電源端子受け部４０１，４０２に接続される。また、通信端子５０６，５０７，５０８がそれぞれバッテリパック４００の通信端子受け部４０３，４０４，４０５に接続される。正側の接続端子５０４にＶ３電圧検出回路５１０が接続され、通信端子５０７にＶ２電圧検出回路５１１が接続され、通信端子５０６にＶ１電圧検出回路５１２が接続されている。また、通信端子５０８に温度検出回路５１３が接続されている。
【０１３６】
Ｖ１〜Ｖ３電圧検出回路５１２，５１１，５１０により検出される各セルの電圧情報、温度検出回路５１３で検出されるセルの温度情報が制御回路５１５に入力される。制御回路５１５では、検出したバッテリ状態に応じて、ＳＷ電源回路５０３を制御することにより充電電流や充電電圧が適切に制御される。
【０１３７】
電気器具３００，３５０や電動工具に用いられるバッテリは、大きな電力を取り出せるように工夫されているため、充電時の電流値も大きくすることができる特徴がある。そのため、１時間や３０分程度の短時間で急速充電することが可能となる。このことから、電気器具３００，３５０や電動工具を動作させている間に予備バッテリを充電しておくことで、当該電気器具３００，３５０や電動工具を充電のための中断を生ずることなく長時間連続して動作させることができる。
【符号の説明】
【０１３８】
１・・・・バッテリパック
２・・・・バッテリパック
５・・・・電動工具
１０・・・バスポリッシャー（電気器具）
１１・・・回転ブラシ（回転体）
１６・・・バッテリ取付け部
２０・・・シューズブラシ（電気器具）
２０ｍ・・マルチブラシ（電気器具）
２２・・・バッテリ取付け部
２３・・・グリップ部
２６・・・回転ブラシ部（回転体）
２９・・・回転ブラシ（回転体）
３０・・・包丁研ぎ器（電気器具）
４０・・・耕運機（電気器具）
４１・・・ロータ刃（回転体）
５０・・・ハンドミキサー（電気器具）
５４・・・攪拌部（回転体）
６０・・・スティックブレンダ（電気器具）
６０ｍ・・ブレンダ（電気器具）
６３・・・グリップ部
７０・・・精米機（電気器具）
８０・・・食器洗浄器（電気器具）
９０・・・抜け毛吸引機
９２・・・グリップ部
９４・・・ロータ（回転体）
１００・・コルク抜き器
１０３・・スクリュー部（回転体）
１０５・・グリップ部
１１０・・電動缶切り器（電気器具）
１１５・・送りギヤ（回転体）
１２０・・電動皮むき器（電気器具）
１２１ｈ・回転座（回転体）
１２５・・位置決め軸（回転体）
１２６・・皮むき刃部（回転体）
３００，３５０・・電気器具
４００，４５０・・バッテリパック
５００・・充電器
【図１】
2018065202.tif 000003
【図２】
2018065202.tif 000004
【図３】
2018065202.tif 000005
【図４】
2018065202.tif 000006
【図５】
2018065202.tif 000007
【図６】
2018065202.tif 000008
【図７】
2018065202.tif 000009
【図８】
2018065202.tif 000010
【図９】
2018065202.tif 000011
【図１０】
2018065202.tif 000012
【図１１】
2018065202.tif 000013
【図１２】
2018065202.tif 000014
【図１３】
2018065202.tif 000015
【図１４】
2018065202.tif 000016
【図１５】
2018065202.tif 000017
【図１６】
2018065202.tif 000018
【図１７】
2018065202.tif 000019
【図１８】
2018065202.tif 000020
【図１９】
2018065202.tif 000021
【図２０】
2018065202.tif 000022
【図２１】
2018065202.tif 000023
【図２２】
2018065202.tif 000024
【図２３】
2018065202.tif 000025
【図２４】
2018065202.tif 000026
【図２５】
2018065202.tif 000027
【図２６】
2018065202.tif 000028
【図２７】
2018065202.tif 000029